(57)【特許請求の範囲】
【請求項１】
前面を室内側に露出させ壁内に埋設される本体ケースと、
上記本体ケースの前面に取り付けられ、吸込口および吹出口とを具備する前面グリルと、
上記本体ケース内に配設された補助配管付きの熱交換器と、
上記本体ケース内に配設され、上記熱交換器からのドレンを受け、これを排出するドレン排出部と、
上記本体ケース内の上記熱交換器の背面側に配設されたファンと、
このファンの軸方向両端部を支持する支持部を具備すると共に、上記ファンの背面側に上記前面グリルの吸込口から吸い込んだ空気をこのファンに案内する案内面を有するファンケ−シングと、
両壁部により区画された底面を、上記ファンからの空気を上記前面グリルの吹出口に案内する案内面とする凹状に形成されていると共に、上記本体ケース内の上記前面グリルの吹出口に対応する位置に、上記両壁部および底部をそれぞれ上記ファンケ−シングの支持部および案内面とに連続させた状態で着脱自在に設けられた吹出案内部と、
上記吹出案内部の案内面の裏面に固定されると共に、上記本体ケースと連結する背板と、
上記吹出案内部の背面側に収納された補助配管と、
を具備することを特徴とする空気調和機の室内ユニット。
【請求項２】
請求項１記載の空気調和機の室内ユニットにおいて、
吹出案内部とファンケ−シングとの接続部には、互いに係合するストッパが設けられていることを特徴とする空気調和機の室内ユニット。
【請求項３】
請求項１記載の空気調和機の室内ユニットにおいて、
上記ドレン排出部は、
熱交換器からドレンを受けるドレン受けと、
ドレン受けに突設され、上記ファンケ−シングの支持部および吹出案内部の両壁部とに突き合わされこれらと連続する突出片と
を具備することを特徴とする空気調和機の室内ユニット。
【請求項４】
請求項３記載の空気調和機の室内ユニットにおいて、
上記突出片の下辺は、上記本体ケースの前面側から背面側に向かって所定角度で下方に傾斜し、上記両端部の上辺は、上記突出片の下辺と組み合わされるように、上記本体ケースの背面側から前面側に向かって所定角度で上方に傾斜している
ことを特徴とする空気調和機の室内ユニット。
【請求項５】
請求項３記載の空気調和機の室内ユニットにおいて、
ファンケ−シングの支持部に形成され、上記ファン端部の上記本体ケースの背面側の径方向外側を囲む円周状に形成された段差部と、
上記突出片に形成され、上記段差部と連続し、上記ファン端部の上記本体ケースの前面側に対向する円弧面と
を具備することを特徴とする空気調和機の室内ユニット。
【請求項６】
請求項３記載の空気調和機の室内ユニットにおいて、
上記ドレン排出部は、
上記ドレン受けに着脱自在に取り付けられ、上記ファンの外面に対向し上記ファンの送風を整流するノ−ズを具備するカバ−
を有することを特徴とする空気調和機の室内ユニット。
【発明の詳細な説明】
【０００１】
【産業上の利用分野】
この発明は、セパレ−トタイプの空気調和機の室内ユニットに関し、特に室内の壁面に埋設式に設置されるビルトインタイプの室内ユニットに関するものである。
【０００２】
【従来の技術】
セパレ−トタイプの空気調和機には、室内ユニットが室内の壁面に埋設式に設置されてなるビルトインタイプのものがある。
このビルトインタイプの室内ユニットのうち天井近くの壁面に取り付けられるものとして、従来、図７に説明する構成を有するものがある。
【０００３】
図中１は、室内の壁面であり、２は天井である。上記壁面１には、室内ユニット３を収納するための収納孔４が穿設されている。この収納孔４内には据付枠５が固定され、上記室内ユニット３は、この収納孔４内に挿入されると共にこの据付枠５に据え付けられるようになっている。
【０００４】
この室内ユニット３は、上記据付枠５内に固定される本体６を具備する。この本体６の上面と上記据付枠５の上壁との間には、空間が区画され、この空間は、この室内ユニット３と図示しない室外ユニットとを接続するための補助配管７が収納される収納スペ−ス８となっている。
【０００５】
また、この本体６内の室内側の前面は図に９で示すドレンパンによって上下に仕切られ、このドレンパン９の上側には、熱交換器１０がその下端をこのドレンパン９に対向させた状態で設けられている。
【０００６】
そして、この熱交換器１０の背面側には、横流ファン１１が配設されていると共に、この横流ファン１１のさらに背面側には、この横流ファン１１によって流通させられる空気をこの本体６内の上部前面側から下部前面側に案内するための案内面１２ａを有するファンケ−シング１２が設けられている。
【０００７】
このような本体６の前面側には、この本体６の前面と上記補助配管収納スペ−ス８を覆い隠す前面グリル１５が着脱自在に取着されるようになっている。
そして、この前面グリル１５の上記ドレンパン９の上側に対応する部位には、吸込口１５ａが設けられ、上記ドレンパン９の下側に対応する部位には吹出口１５ｂが設けられている。
【０００８】
また、この吹出口１５ｂに対向する通風路には吹き出し風の風向を調整するための左右に揺動する左右ル−バ１７が設けられ、吹出口１５ｂが形成される前面グリル１５には上下に揺動する上下ル−バ１８が設けられている。
【０００９】
そして、この前面グリル１５の裏面には、これら左右ル−バ１７および上下ル−バ１８を駆動するためのステッピングモ−タ（図示しない）が取着されている。
【００１０】
このような構成を有する室内ユニット３を壁面に取り付けるには、上記収納孔４内に設けられた据付枠５内に、まず、本体６を据え付ける。ついで、上記補助配管７を室内側に引き出し、配管作業を施した後、再び上記収納スペ−ス８内に押し込む。そして、上記前面グリル１５をこの本体６に取り付ける。
【００１１】
なお、上記前面グリル１５をこの本体６に取着する場合には、上記前面グリル１５に取着された上記上下ル−バ１８駆動用の図示しない駆動モ−タから延出された図示しないコネクタを、上記本体６の図示しない電気部品箱に接続しつつ取着するようにする。
【００１２】
【発明が解決しようとする課題】
ところで、従来のビルトインタイプの室内ユニットには、以下に説明する解決すべき課題がある。
第１に、この室内ユニットと室外ユニットの配管接続は、配管の長さを決定する等ために上記本体６を所定の場所に据え付けた後に行う必要がある。したがって、このビルトインタイプの室内ユニット３の補助配管７の接続を行うためには、この室内ユニットを上記収納孔４内に据え付けた後に行う必要がある。
【００１３】
また、このビルトインタイプの室内ユニット３においては、上記補助配管７を室内側に露出させない構造が必要となるために、従来のビルトインタイプの室内ユニット３では、上述したように上記本体６の上側（または下側）に専用の補助配管収納スペ−ス８を設けて、このスペ−ス８に補助配管７を押し込んで収納するようにしていた。
【００１４】
しかし、このような構造では、収納孔４や前面グリル１５の高さが高くなるということがある。このため、据え付ける場所（例えば天袋）によっては、スペ−ス的に取り付けられない場合があった。
【００１５】
一方、収納孔４や前面グリル１５の高さをできる限り低くするために、上記収納スペ−ス８を小さくすると、配管作業が非常に行いにくくなるという問題が生じる。この場合、上記収納スペ−ス８内に無理に上記補助配管７を押し込もうとすると、上記本体６あるいは補助配管７自体が破損してしまう恐れもあった。
【００１６】
この発明は、このような事情に鑑みてなされたもので、据え付け作業性が良く、かつコンパクトで設置自由度の高い空気調和機の室内ユニットを提供することを目的とするものである。
【００１７】
【課題を解決するための手段】
第１の手段は、前面を室内側に露出させ壁内に埋設される本体ケースと、上記本体ケースの前面に取り付けられ、吸込口および吹出口とを具備する前面グリルと、上記本体ケース内に配設された補助配管付きの熱交換器と、上記本体ケース内に配設され、上記熱交換器からのドレンを受け、これを排出するドレン排出部と、上記本体ケース内の上記熱交換器の背面側に配設されたファンと、このファンの軸方向両端部を支持する支持部を具備すると共に、上記ファンの背面側に上記前面グリルの吸込口から吸い込んだ空気をこのファンに案内する案内面を有するファンケ−シングと、両壁部により区画された底面を、上記ファンからの空気を上記前面グリルの吹出口に案内する案内面とする凹状に形成されていると共に、上記本体ケース内の上記前面グリルの吹出口に対応する位置に、上記両壁部および底部をそれぞれ上記ファンケ−シングの支持部および案内面とに連続させた状態で着脱自在に設けられた吹出案内部と、上記吹出案内部の案内面の裏面に固定されると共に、上記本体ケースと連結する背板と、上記吹出案内部の背面側に収納された補助配管と、を具備することを特徴とする空気調和機の室内ユニット。
【００１８】
第２の手段は、第１の手段の室内ユニットにおいて、吹出案内部とファンケ−シングとの接続部には、互いに係合するストッパが設けられていることを特徴とするものである。
【００１９】
第３の手段は、第１の手段の室内ユニットにおいて、上記ドレン排出部は、熱交換器からドレンを受けるドレン受けと、ドレン受けに突設され、上記ファンケ−シングの支持部および吹出案内部の両壁部とに突き合わされこれらと連続する突出片とを具備することを特徴とするものである。
【００２０】
第４の手段は、第３の手段の室内ユニットにおいて、上記突出片の下辺は、上記本体ケースの前面側から背面側に向かって所定角度で下方に傾斜し、上記両端部の上辺は、上記突出片の下辺と組み合わされるように、上記本体ケースの背面側から前面側に向かって所定角度で上方に傾斜していることを特徴とするものである。
【００２１】
第５の手段は、第３の手段の室内ユニットにおいて、ファンケ−シングの支持部に形成され、上記ファン端部の上記本体ケースの背面側の径方向外側を囲む円周状に形成された段差部と、上記ドレン排出部の突出片に形成され、上記段差部と連続し、上記ファン端部の上記本体ケースの前面側に対向する円弧面とを具備することを特徴とするものである。
【００２２】
第６の手段は、第３の手段の室内ユニットにおいて、上記ドレン排出部は、上記ドレン受けに着脱自在に取り付けられ、上記ファンの外面に対向し上記ファンの送風を整流するノ−ズを具備するカバ−を有することを特徴とするものである。
【００２３】
【作用】
このような手段によれば、吹出案内部を本体ケースから取り外すことで上記補助配管の配管作業を行うことができ、配管作業後、上記吹出案内部を本体ケースに取り付けることで、この吹出案内部の背面側に上記補助配管を収納することができる。
【００２４】
【実施例】
以下、この発明の一実施例を図面を参照して説明する。なお、従来例と同一の構成要素（特にファン１１および熱交換器１０）には同一符号を付してその説明は省略する。
【００２５】
図１中１は室内の壁面であり、２は天井である。この壁面１には、従来例と同様に収納孔１８が開口している。
また、この収納孔１８内は、図に１９で示す据付枠が固定され、この発明の室内ユニット２０はこの据付枠１９内に据え付けられるようになっている。
【００２６】
この室内ユニット２０は、この据付枠１９に固定される本体２１と、この本体２１の室内側の前面に取着された前面グリル２２とからなる。この前面グリル２２は、上部に吸込口２２ａを有し、下部に吹出口２２ｂを有する。
【００２７】
上記本体２１は、図１および図２に２３で示すケ−スを具備し、このケ−ス２３内には、上記横流ファン１１を支持すると共に、この横流ファン１１による空気の流れを上記本体２１の上部前面からこのファン１１に案内するファンケ−シング２４が設けられている。
【００２８】
このファンケ−シング２４は、横流ファン１１による空気の流れを案内する案内面２４ａと、この案内面２４ａの幅方向両側に立設され、上記横流ファン１１の軸方向両端部を支持すると共に上記案内面２４ａと共に上記空気の流路を区画する壁部２４ｂ（この発明の支持部）とを有する。
【００２９】
この壁部２４ｂには、上位横流ファン１１を取り付けるためのスリット２５が上記本体２１の前面側に開放して設けられている。また、このスリット２５の周囲には上記横流ファン１１の軸方向端部付近の空気の流れを整流するための案内段差２６（段差部）が形成されている。この段差２６は円弧状に設けられ、その内径は上記横流ファン１１の外径よりも大きく形成されている。
【００３０】
また、図２に示すように、上記横流ファン１１の軸方向一端面に突設された中心軸１１ａは、上記ファンケ−シング２４の一方の壁部２４ｂの外面に着脱自在に取り付けられる取付板２８およびこの取付板２８に固定される軸受２９とによって支持されるようになっている。
【００３１】
一方、この横流ファン１１の軸方向他端面にはボス１１ｂが形成されている。このボス１１ｂは、上記ファンケ−シング２４の他方の壁部２４ｂの外面に固定される駆動モ−タ３０の駆動軸３０ａに連結されるようになっている。
【００３２】
なお、この横流ファン１１をファンケ−シング２４に取り付ける場合には、上記横流ファン１１に上記取付板２８、軸受２９および駆動モ−タ３０を組み付けた状態で、上記ファンケ−シング２４に設けられたスリット２５を通してこのケ−シング２４内に挿着するようにする。
【００３３】
また、このファンケ−シング２４の下部には、図１に示すように、このファンケ−シング２４とは別体に形成されたドレン排出部３２および吹出案内部３３とが取り付けられている。
【００３４】
上記ドレン排出部３２は、図１〜図３に示すように、熱交換器１０の下端に対向しこの熱交換器１０から滴下するドレンを受けるドレン受け３４と、このドレン受け３４の長さ方向両端部からそれぞれ下方に突設され、上記ファンケ−シング２４の壁部２４ｂの端面と突き合わされる突出片３５とを具備する。
【００３５】
上記ドレン受け３４は、上述したように熱交換器１０からのドレンを受ける機能を有すると共に、この本体２１内を上下に仕切る役割を有する。すなわち、このドレン受け３４の上方は、吸込通路が区画され、下方には吹出通路が区画されている。
【００３６】
また、このドレン受け３４は、図３（ａ）、（ｂ）に示すように、上記突出片３５と一体的に形成されたドレン受け本体３６と、このドレン受け本体３６の外面に着脱自在に取着されたカバ−３７とからなる。
【００３７】
上記カバ−３７は、このドレン受け本体３６の下面を覆うように取り付けられるもので、図に３７ａで示す係合部を上記ドレン受け本体３６の幅方向両端部にひっかけることによりこのドレン受け本体３６に固定されるようになっている。
【００３８】
また、このカバ−３７は、図に３７ｂで示すノ−ズを具備する。このノ−ズ３７ｂは上記横流ファン１１の外面に対向し、上記ファンケ−シング２４内の空気の流れを整流する役割を有する。また、このカバ−３７の下面は上記ノ−ズ３７ｂと連続して設けられ、上記吹出通路の上壁を構成するようになっている。
【００３９】
なお、このカバ−３７と上記ドレン受け本体３６との間には図３（ａ）に２８で示す空気層が区画され、このカバ−３７と上記ドレン受け本体３６との間を断熱するようになっている。
【００４０】
すなわち、このカバ−３７は、上記吹出通路を構成すると共に、上記ドレン受け本体３４の下面に吹き出し空気の熱が伝熱するのを防止して、冷房時にこのドレン受け本体３４の下面に結露が生じるのを防止する役割を有する。
【００４１】
一方、上記突出片３５の上辺３５ａは、上記ファンケ−シング２４の壁部２４ｂに形成された上記案内用段差２６と連続する円弧面に形成されている。また、上記突出片３５の下辺３５ｂは、前面側から背面側に向かって所定角度で下方に傾斜するようになっている。
【００４２】
次に、このドレン排出部３２の下側に固定される前記吹出案内部３３について説明する。
この吹出案内部３３は、図２に示すように上方に解放する凹状に形成されたもので、前記吹出通路の下壁を構成する案内面３３ａおよび、この案内面３３ａを挟む両側に立設された壁面３３ｂ（両壁部）とを有する。
【００４３】
上記案内面３３ａは、図１に示すように上記ファンケ−シング２４の案内面２４ａと連続するように設けられていると共に、上記壁面３３ｂは、上記ファンケ−シング２４の壁部２４ｂおよび上記ドレン排出部３２の突出片３５と同一平面内で突き合わされるように設けられている。
【００４４】
この吹出案内部３３の壁面３３ｂの上辺３３ｃは、上記ドレン排出部３２の突出片３５ｂの下辺と組み合わされるように、この本体２１の背面側から前面側にむかって次第に高さが高くなる傾斜辺として形成されている。
【００４５】
また、これらファンケ−シング２４、ドレン排出部３２および吹出案内部３３の合わせ面の間には、図に３９で示すシ−ル部材が介在され、この合わせ部から空気がケ−ス２３内に漏れないように構成されている。
【００４６】
一方、上記吹出案内部３３の案内面３３ａ上には、同図および図２に示すように、複数の左右風向ル−バ４０…が垂直軸線回りに揺動自在に設けられる。これらの左右風向ル−バ４０は、図に４１で示すレバ−によって複数個が同時に揺動駆動されるようになっている。
【００４７】
また、この吹出案内部３３の上記案内面３３ａの裏面には、上記ケ−ス２３と同じ材質および厚さで形成された背板４３が固定されている。この背板４３は、上記案内面３３ａの裏面に沿って上方に延出され、この背板４３の上端は上記ケ−ス２３の下端と連結される連結部Ｒとなっている。
【００４８】
この連結部Ｒは、図４に拡大して示すように構成されている。
すなわち、上記ファンケ−シング２４の案内面２４ａの下端および上記吹出案内部３３の案内面３３ａ上端とには、連結方向に互いに突き合わされる凸部４４、４５および凹部４６、４７（この発明のストッパ）が設けられ、互いに気密に組み合わされるようになっている。
【００４９】
そして、上記背板４３の上端部は、上記吹出案内部３３の上端の凹凸部４４、４６に沿うように折曲されている。また、上記背板４３と上記凹部４６との間には、図に４８で示す空間が構成されている。また、上記背板４３の上記空間部４８に対応する部位には図に４９で示す係合孔が設けられている。
【００５０】
一方、上記ケ−ス２３の下端には、この係合孔４９内に挿入され係合する係合片５０が突設されている。また、この係合片５０は、連結方向と所定角度傾斜して設けられ、上記背板４３の係合孔４９と係合することでこの背板４３および吹出案内部３３とを矢印で示す下方向に付勢、案内するようになっている。
【００５１】
そして、上記凹凸部４４〜４７どうしが組み合わされた場合には、その係合力によって、両者を固定するようになっている。
一方、上記本体２１の一端部には、図５に示すように、この室内ユニット２０を制御するための電気部品箱（制御ユニット）５２が設けられている。
【００５２】
この電気部品箱５２は、同図および図２に示すように、上記ケ−ス２３に固定される電気部品箱カバ−５３内に設けられるようになっている。また、この電気部品箱カバ−５３内には、上記熱交換器１０から導出された補助配管（図２に５４で示す）が取り回されるようになっている。
【００５３】
そして、この熱交換器１０の補助配管５４は、このカバ−５２内を通って上記ケ−ス２４の下側に導出されるようになっている。そして、この補助配管５４の先端部は、上記吹出案内部３３を取り付けていない場合には、図５および図６に示すように、上記ケ−ス２３の下側からこの本体２１の手前側に引き出すことができるようになっている。
【００５４】
次に、この本体２１に固定される前面グリル２２について説明する。
図１に示すように、この前面グリル２２の下部に設けられた吹出口２２ｂには、上下方向に揺動可能な上下ル−バ５５が設けられている。この上下ル−バ５５は、前面グリル２２の幅方向一端部の裏面に固定されたモ−タによって上下方向に揺動駆動されるようになっている。
【００５５】
次に、この本体２１の組み立てを主に図２を参照しつつ説明する。
まず、このケ−ス２３内に、ファンケ−シング２４、熱交換器１０および横流ファン１１を組み付ける。
【００５６】
すなわち、上記ケ−ス２３内にファンケ−シング２４を固定する。ついで、上記ファン１１の軸方向一端側に突出した中心軸１１ａに上記軸受２９および取付板２８を取り付けると共に、軸方向他端側に設けられたボス１１ｂ内に駆動モ−タ３０の駆動軸３０ａを挿着する。
【００５７】
そして、この横流ファン１１の中心軸１１ａの部分および上記駆動モ−タ３０の駆動軸３０ａの部分を上記ファンケ−シング２４の壁部２４ｂに設けられたスリット２５に横方向から挿入することで、この横流ファン１１をファンケ−シング２４内に取り付ける。なお、上記駆動モ−タ３０は、図２に５６で示すブラケットによって上記ケ−ス２３に固定する。
【００５８】
ついで、このケ−ス２３の前面側に熱交換器１０を取り付ける。この熱交換器１０から導出された補助配管５４は、上記電気部品箱カバ−５４が取り付けられていない状態で、上記ケ−ス２３の下側に取り回す。
【００５９】
ついで、上記ケ−ス２３に上記電気部品箱５２およびカバ−５３を取付けた後、この電気部品箱５２と上記本体２１内の各部品との配線接続を行う。また、このことによって、上記補助配管５４の長さ方向中途部は上記カバ−５３によって覆い隠される。
【００６０】
その後、ドレン排出部３２および吹出案内部３３を本体２１に装着して室内ユニット２０が完成する。（ドレン排出部３２および吹出案内部３３の詳細な装着については後述する据え付けにて説明する。）
次に、この本体２１を上記壁面１に開口する収納孔１８内に挿入し、図５および図６に示すように上記据付枠１９内に固定するその後ドレン排出部３２および吹出案内部３３を本体２１から取り外す。
【００６１】
ついで、上記本体２１のケ−ス２３の下側に取り回された補助配管５４を、図に矢印で示すようにこの本体２１の前面側に引き出し、この補助配管５４を図示しない室外ユニットから延出された配管と接続し、断熱材等を巻き付けた後再びもとの位置に押し込む。
【００６２】
このようにして上記補助配管５４の接続がなされたならば、次に、上記ドレン排出部３２と上記吹出案内部３３をこの本体２１に装着する。
このためには、まず、上記ドレン排出部３２を本体２１内に挿入し、このドレン排出部３２に設けられた突出片３５の端面を上記ファンケ−シング２４の壁部２４ｂの下部と突き合わせる。そして、このドレン排出部３２をこのファンケ−シング２４あるいは上記ケ−ス１に固定する。
【００６３】
このことで、上記熱交換器１０の下側にドレン排出部３２のドレン受け３４が位置すると共に、上記突出片３５の上片３５ａ（円弧面）は、上記ファンケ−シング２４の案内段差２６と同心円上で連結されることとなる。
【００６４】
ドレン排出部３２が取り付けられたならば、上記吹出案内部３３を本体２１内に装着する。この吹出案内部３３を取り付ける場合には、上辺３３ｃをドレン排出部３２の突出片３５の下辺３５ｂに沿わせるような状態で上記ケ−ス２３内に押し込む。
【００６５】
上記吹出案内部３３の案内面３３ａの上端および上記ファンケ−シング２４の案内面２４ａの下端に設けられた凹凸部４４〜４７（連結部Ｒ）どうしが当接したならば、上記背板４３の上端に設けられた係合孔４９内にケ−ス２３の下端に設けられた係合片５０が挿入され両者は互いに係合し連結される。
【００６６】
このことによって上記吹出案内部３３はケ−ス２３の下部に取着される。なお、これら吹出案内部３３、ドレン排出部３２およびファンケ−シング２３の互いの突き合わせ面の間には、シ−ル部材３９が挟まれ、ファンケ−シング２４内の熱交換空気の漏れを防止するようになっている。
【００６７】
ついで、この本体２１の前面に上記前面グリル２２を取り付ける。このとき、同時にこの前面グリル２２に設けられたコネクタと上記本体２１内の電気部品箱５２に設けられたコネクタとを互いに結合するようにする。
【００６８】
次に、メンテナンス時の作業について説明する。
作業者は、まず、上記前面グリル２２を両手で支持し、上記本体２１から取り外す。ついで、上記吹出案内部３３を上記本体２１内から手前側に引き出す。このことで、上記背板４３とケ−ス２４との接続部Ｒが分離して上記吹出案内部３３を取り外すことができる。なお、上記吹出案内部３３の壁面３３ｂの上辺３３ｃは傾斜しているから、少し手前に引き出すだけで上記ドレン排出部３２と分離し、容易に取り外すことができる。
【００６９】
このように、上記吹出案内部３３を取り外すと、図５に示すように、この吹出案内部３３が取り付けられていた部分に熱交換器１０からの補助配管５４が露出する。補助配管５４のメンテナンスを行う場合には、この部分から補助配管５４を引き出して行うようにする。
【００７０】
このような構成によれば、以下に説明する効果がある。
第１に、本体２１と据付枠１９との隙間に、補助配管５４収納用の収納スペ−スを設ける必要がないから、本体２１および前面グリル２２の高さを低くすることができる。
【００７１】
すなわち、この発明では、上記ファンケ−シング２４の下部に着脱自在な吹出案内部３３を取り付けるようにして、この吹出案内部３３の背面にあたる上記ケ−ス２３の下側に、補助配管５４を取り回し収納するようにした。
【００７２】
このことにより、上記本体２１の上側または下側に特別な収納スペ−スを設ける必要がないから、上記収納孔１８および前面グリル２２の高さを低くして、この室内ユニットを小形化することができる。
【００７３】
したがって、天井２近くの壁面１等のように据え付けスペ−スが小さい場所であっても、室内ユニット２０を据え付けることができるようになる効果がある。
【００７４】
また、上記補助配管５４の収納スペ−スも十分に確保することができ、かつ上記補助配管５４は上記本体の下部に収納されているから、配管作業が行いずらくなるということもない。
【００７５】
さらに、上記吹出案内部３３の着脱は上記本体２１を据付枠１９内に据え付けた状態で行えるから、据え付け時またはメンテナンス時の配管作業工程が簡略化する効果がある。
【００７６】
第２に、ドレン排出部３２に突出片３５を設けるとともに、上記吹出案内部３３を凹状とし、上記ドレン排出部３２の突出辺３５と吹出案内部３３の壁面３３ｂとファンケ−シング２４の壁部２４ｂとを互いに突き合わせて気密に結合するようにした。
【００７７】
このことにより、ドレン排出部３２のカバ−３７の下面を吹出通路の上壁として使用することができ、吹出通路を大きく区画することができる効果がある。また、気密措置は、それぞれの突き合わせ面でのみ行えば良いから組立性が向上する。
【００７８】
このことで、小型で送風量の大きい室内ユニット２０を得ることができる効果がある。
第３に、ドレン排出部３２の突出片３５と吹出案内部３３の壁面３３ｂの突き合わせ面（３５ｂ、３３ｃ）は、この本体２１の前面側に向かって上記壁面３３ｂの高さが次第に高くなるように互いに傾斜させた。
【００７９】
このことによって、上記吹出案内部３３を本体２１内に組み込む際に、この吹出案内部３３と上記ドレン排出部３２とを正確に位置決めしなくても定位置に組み込めるから作業性が向上する。
【００８０】
また、この吹出案内部３３を組み込み方向に加圧することで、この吹出案内部３３を上記ドレン排出部３２に押し付けることとなるので、シ−ル性確保も容易になる。
【００８１】
第４に、吹出案内部３３の案内面３３ａの上端とファンケ−シング３２の案内面３２ａの下端とに互いに当接する凹凸部４４〜４７を設け、上記吹出案内部３３に設けられた背板４３の上端とケ−ス２３の下端とを係合孔４９および係合片５０とで係合させるようにした。
【００８２】
このことにより、両者を突き合わすのみで、互いに気密状態で着脱自在に連結することができるから、組立性が向上する効果がある。
第５に、上記ドレン排出部３２をファンケ−シング２４と分離可能にすると共に、このドレン排出部３２の突出片３５の上辺３５ａを、上記ファンケ−シング２４の円弧状の案内段差２６と連続し上記ファン２４の前面側まで回りこむ円弧面として形成した。
【００８３】
このことで、上記ファン１１の端部付近の空気の流通が良好に整流され、騒音の発生を低減することができる効果がある。
すなわち、従来は、上記ファン１１の前面側にはファン端部付近の空気の流れを整流する手段を設けておらず、送風抵抗の増加や騒音が発生する恐れがあった。また、この部分に整流のための別部品を設けると部品点数が増すということがあった。
【００８４】
しかし、この発明では、上記円弧面３３ａをドレン排出部３２に一体的に設けられた突出片３５の上辺に形成し、上記ファンケ−シング２４にファン１１を取り付けた後、上記ドレン排出部３２を取り付けることで、上記円弧面３３ａをファン１１の端部の前面側に対向させるようにしたので、上述した問題点は解決された。
【００８５】
さらに、ドレン排出部３２をファンケ−シング２４と分離可能としたことにより、ファン１１に前面側の開口部から容易に手を挿入することができ、ファン１１を容易にメンテナンスすることができるようになった。
【００８６】
第６に、上記ドレン排出部３２に、上記ドレン受け３４の下面に空気層２８を区画するカバ−３７を設けると共に、このカバ−３７には押出し成形によりノ−ズ３７ｂを形成するようにした。
【００８７】
このような構成によれば、上記空気層２８の断熱効果によって冷房時にドレン受け３４の下面に結露が生じることが有効に防止できる。したがって、従来はドレン受けの下面に断熱材を張り付けていたが、これが不要になる。
【００８８】
また、従来用いていた断熱材（ソフトロン（商品名））は熱伝導率は０、０２８（ｋｃａｌ／ｍｈ  ）であるのに対して空気の熱伝導率は０、０２０７（ｋｃａｌ／ｍｈ  ）である。したがって、同じ断熱効果を得るための断熱層の厚さを薄くすることができる効果もある。
【００８９】
また、上記吹出案内部３３は凹状に形成されているから、この吹出案内部３３の組み付け時にこのカバ−３７が邪魔になるということは少ない。
一方、上記送風ファン１１の前面側に対向するノ−ズ３７ｂは室内ユニットの送風量および騒音を左右する部分（部品）であり、製品化した後も設計変更の多いところである。従来はノ−ズ部をドレン受けに一体成形しており、上記ノ−ズの設計変更のたびにドレン排出部の成形用型を作りなおす必要があった。
【００９０】
しかし、この発明では、上記ノ−ズ３７ｂをドレン受け３４とは別部品であるカバ−３７に設けた。このカバ−３７を押出し成形により成形することができるので、上述した問題点を解決することができる。
【００９１】
さらに、このように押出し成形したカバ−３７の下面で吹出し通路を区画するようにしたので、ドレン受け３７の形状に吹出通路の形が左右されることがなく、また、その設計変更も容易に行うことができる効果がある。
【００９２】
第７に、電子部品箱５２を収納する電子部品箱カバ−５３を上記ケ−ス２３とは別体にした。
このことで、熱交換器１０の補助配管５４をケ−ス２３の下側に取り回した後に、上記電気部品箱カバ−５３で上記補助配管５４の長さ方向中途部を覆うことができる。
【００９３】
したがって、上記熱交換器１０の補助配管５４の取り回しが容易になり、この室内ユニット２０の組立性が向上する効果がある。
なお、この発明は、上記一実施例に限定されるものではなく、発明の要旨を変更しない範囲で種々変形可能である。
【００９４】
例えば、上記一実施例では、上記室内ユニット２０を天井２近くの壁面１に設けられた収納孔１８内に設置したが、和室等に設けられた天袋内に設けるようにしても良い。
【００９５】
また、天井２近くに設置するのではなく、壁面１の中途部あるいは床面に近い位置に設けるようにしても良い。
この場合でも、この室内ユニット２０は小型であり、据え付けスペ−スを小さくすることができる効果がある。
【００９６】
また、天井埋込形であっても、吹出案内部３３の背面側に補助配管５４を収容することができるから、上記一実施例と略同様の効果を得ることができる。
また、上記一実施例においては、上記吹出案内部３３を本体２１内に組み込んだ後に上記前面グリル２２を本体２１に装着するようにしたが、上記前面グリル２２側にあらかじめ上記吹出案内部３３を固定しておいて、この前面グリル２２を装着すると同時に上記吹出案内部３３を本体２１内に組み込むようにしても良い。
【００９７】
このような構成によれば、上記本体２１と吹出案内部３３との組み合わせにより前面グリル２２の位置合わせも行えるから、この前面グリル２２の取り付けが容易になり組立性が向上する効果がある。
また、メンテナンス時には、前面グリル２２を取り外すと同時に上記吹出案内部３３も取り外すことができ、作業性が向上する。
【００９８】
【発明の効果】
以上述べた構成によれば、本体ケース内に吹出案内部を着脱自在に設け、この吹出し案内部の背面側に補助配管を収納するようにしたから、補助配管の収納用のスペ−スを特に設ける必要がなく、この室内ユニットの高さを低くでき、その分、設置自由度が向上する効果がある。
【００９９】
吹出案内部を凹状に形成することで、吹出通路を広くとることができ、また、気密を容易に行うことができる効果がある。
吹出案内部とファンケ−シングとの接続部には、互いに係合するストッパを設けることで両者を確実に結合することができる効果がある。
【０１００】
上記ドレン排出部のドレン受けに、ファンケ−シングの支持部および吹出案内部の両壁部とに突き合わされこれらと連続する突出片を突設することで、このドレン受けの下面で吹出通路を区画することができ、吹出通路を広く区画することができる効果がある。
【０１０１】
また、上記突出片と上記両壁部との突き合わせ部は、上記吹出口に向かって上記両壁部の高さが次第に高くなるように互いに所定角度で傾斜するものとしたから、上記吹出案内部の位置決めおよび挿着が容易になる効果がある。
【０１０２】
上記ドレン排出部の突出片にはファン端部の上記本体ケースの前面側に対向する円弧面を形成したから、送風時の騒音の発生を防止することができる効果がある。
上記ドレン排出部に、上記ファンの外面に対向し上記ファンの送風を整流するノ−ズを具備するカバ−を着脱自在に設けたから、ノ−ズ部の作成および設計変更が簡単に行える効果がある。
【図面の簡単な説明】
【図１】この発明の一実施例を示す縦断概略図。
【図２】同じく、分解斜視図。
【図３】同じく、ドレン排出部を拡大して示す縦断面図。
【図４】同じく、吹出案内部とファンケ−シングとの接続部を拡大して示す縦断面図および斜視図。
【図５】同じく、本体の据え付け工程を示す斜視図。
【図６】同じく、組み立て工程を示す縦断面図。
【図７】従来例を示す概略縦断面図。
【符号の説明】
１…壁面、２…天井、１０…熱交換器、１１…横流ファン（ファン）、２０…室内ユニット、２１…本体、２２…前面グリル、２２ａ…吸込口、２２ｂ…吹出口、２４…ファンケ−シング、２４ａ…案内面、２４ｂ…壁部（支持部）、２６…案内段差（段差部）、３２…ドレン排出部、３３…吹出案内部、３３ａ…案内面、３３ｂ…壁面、３４…ドレン受け、３５…突出片、３５ａ…円弧面、３７…カバ−、３７ｂ…ノ−ズ、５４…補助配管。
【図１】
0003554354.tif 000002
【図２】
0003554354.tif 000003
【図３】
0003554354.tif 000004
【図４】
0003554354.tif 000005
【図５】
0003554354.tif 000006
【図６】
0003554354.tif 000007
【図７】
0003554354.tif 000008